(57)【特許請求の範囲】
【請求項１】
温泉水、冷泉水等の鉱泉水を供給するための鉱泉水供給管路と、
鉱泉水とは異なる温度の温調水を供給するための温調水供給管路と、
前記鉱泉水供給管路及び前記温調水供給管路により供給される鉱泉水及び温調水を混合して適温の混合水とする湯水混合手段と、
前記湯水混合手段により混合された混合水を所定の箇所に供給するための混合水供給管路とを備え、
上記各供給管路及び前記湯水混合手段における鉱泉水と接触する部分の少なくとも一部に、耐腐食性及び防汚性を有する合成樹脂製保護被膜が設けられ、
前記湯水混合手段が、鉱泉水及び温調水を混合するための混合室と、前記混合室と前記鉱泉水供給管路の流出側端部との間に設けられた鉱泉水供給口と、前記混合室と前記温調水供給管路の流出側端部との間に設けられた温調水供給口と、前記混合室内に設けられ、かつ混合水の温度変化に応じて変形する感温手段と、前記感温手段の変形量に基づいて前記鉱泉水供給口及び温調水供給口の開度を調整する開度調整手段とを具備し、
前記感温手段及び前記開度調整手段の表面に前記保護被膜が設けられ、
前記保護被膜が、ポリアミド系樹脂、ポリアセタール樹脂又はフッ素樹脂により形成され、
前記感温手段が、帯板状のバイメタルを渦巻き状に巻回したコイル部材により形成され、前記コイル部材は、温度が上昇した際に、伸張して、拡径変形するよう構成されてなることを特徴とする鉱泉水用湯水混合給湯装置。
【請求項２】
前記湯水混合手段が、砲金からなるケーシングを具備する請求項１記載の鉱泉水用湯水混合給湯装置。
【請求項３】
前記鉱泉水供給管路及び前記温調水供給管路に、逆止弁がそれぞれ設けられてなる請求項１又は２に記載の鉱泉水用湯水混合給湯装置。
【発明の詳細な説明】
【０００１】
【発明の属する技術分野】
この発明は、温泉水等の鉱泉水に上水等の低温水を混合して浴槽等に供給するようにした鉱泉水用湯水混合給湯装置に関する。
【０００２】
【従来の技術】
温泉施設の浴場においては、元湯（温泉水）のみで浴槽水の全てをまかなっているところは少なく、多くの場合、温泉水に上水等を混入した混合水を浴槽水として利用している。例えば高温の温泉水に低温の上水を混合して適温の混合水とし、その適温混合水を浴槽内に供給して浴槽水として使用するのが通例である。
【０００３】
一方、温泉水を用いない一般の浴場等において、高温水と低温水とを混合して供給する湯水混合給湯装置としては、高温水及び低温水をそれぞれ供給するための高温水供給管路及び低温水供給管路と、両管路により供給される高温水及び低温水を混合するミキシングバルブ等の湯水混合手段と、その混合手段により混合された適温の混合水を浴槽へ供給するための混合水供給管路とを備えた金属製のものが多く採用されている。
【０００４】
【発明が解決しようとする課題】
ところが、上記一般浴場用の湯水混合給湯装置を、温泉施設の浴場等に採用することは非常に困難である。
【０００５】
すなわち、温泉水には、鉄等の金属、イオウ、炭酸等の多種多様な成分が溶存含有しているため、その含有成分の影響により、湯水混合給湯装置の内部が早期に腐食劣化してしまい、十分な耐久性を得ることができないという問題が発生する。更に温泉水は、含有成分による析出物や沈殿物が多く発生するため、その析出物等が装置内部に付着堆積することにより、流路径が減少してしまい、所定の性能を得ることができなくなるという問題が発生する。
【０００６】
この発明は、上記従来技術の問題を解消し、流路内における腐食劣化や析出物の付着を防止できて、良好な性能を長期間維持しつつ、十分な耐久性を得ることができる鉱泉水用湯水混合給湯装置を提供することを目的とする。
【０００７】
【課題を解決するための手段】
上記目的を達成するため、この発明の鉱泉水用湯水混合給湯装置は、温泉水、冷泉水等の鉱泉水を供給するための鉱泉水供給管路と、鉱泉水とは異なる温度の温調水を供給するための温調水供給管路と、前記鉱泉水供給管路及び前記温調水供給管路により供給される鉱泉水及び温調水を混合して適温の混合水とする湯水混合手段と、前記湯水混合手段により混合された混合水を所定の箇所に供給するための混合水供給管路とを備え、上記各供給管路及び前記湯水混合手段における鉱泉水と接触する部分の少なくとも一部に、耐腐食性及び防汚性を有する合成樹脂製保護被膜が設けられてなるものを要旨とするものである。
【０００８】
本発明の鉱泉水用湯水混合給湯装置は、鉱泉水と接触する部分に、耐腐食性及び防汚性に優れた保護被膜を設けるものであるため、鉱泉水の含有成分によって早期に腐食劣化するのを防止することができる。更に保護被膜によって、鉱泉水から析出した析出物が付着するのを防止することができる。
【０００９】
本発明においては、前記湯水混合手段が、鉱泉水及び温調水を混合するための混合室と、前記混合室と前記鉱泉水供給管路の流出側端部との間に設けられた鉱泉水供給口と、前記混合室と前記温調水供給管路の流出側端部との間に設けられた温調水供給口と、前記混合室内に設けられ、かつ混合水の温度変化に応じて変形する感温手段と、前記感温手段の変形量に基づいて前記鉱泉水供給口及び温調水供給口の開度を調整する開度調整手段とを具備し、前記感温手段及び前記開度調整手段の表面に前記保護被膜が設けられてなる構成を採用するのが好ましい。
【００１０】
すなわちこの構成のように、感温手段及び開度調整手段等の可動部に保護被膜を設ける場合には、長期間にわたって優れた動作信頼性を得ることができる。
【００１１】
また本発明においては、前記感温手段が、帯板状のバイメタルを渦巻き状に巻回したコイル部材により形成されてなる構成を採用するのが良い。
【００１２】
すなわちこの構成を採用する場合には、コイル部材として長いサイズのものを用いることができるため、バイメタル等のコイル部材における温度変化時の伸縮量を大きく確保することができ、その大きい伸縮量に基づいて、精度良く緻密に開度調整手段を制御することができる。
【００１３】
更に本発明においては、前記保護被膜が、ポリアミド系樹脂、ポリアセタール樹脂、フッ素樹脂等により形成されてなる構成、又は前記湯水混合手段が、砲金からなるケーシングを具備する構成を採用するのが望ましい。
【００１４】
すなわちこの構成を採用する場合には、腐食劣化及び析出物の付着堆積を、より確実に防止することができる。
【００１５】
また本発明においては、前記鉱泉水供給管路及び前記温調水供給管路に、逆止弁がそれぞれ設けられてなる構成を採用するのが、より一層好ましい。
【００１６】
すなわちこの構成を採用する場合には、目詰まりや腐食劣化等の不慮の事態により、湯水の流通が阻害されたとしても、鉱泉水や温調水の逆流を防止でき、その逆流による悪影響を確実に防止することができる。
【００１７】
【発明の実施の形態】
図１はこの発明の実施形態である温泉水用湯水混合給湯装置を示す正面図である。同図に示すように、本実施形態の湯水混合給湯装置は、複数の配管部材が連結されて構成される温泉水供給管路（１０）、低温水供給管路（２０）及び混合水供給管路（３０）と、湯水混合手段としてのミキシングバルブ（５０）とを備えている。
【００１８】
温泉水供給管路（１０）及び低温水供給管路（２０）の各上流側端部は、図示しない温泉水供給源及び低温水供給源にそれぞれ連結されおり、後に詳述するように、各供給源から供給された温泉水及び上水等の低温水が、温泉水供給管路（１０）及び低温水供給管路（２０）をそれぞれ通ってミキシングバルブ（５０）に供給され、そこで混合された後、その混合水が混合水供給管路（３０）を通って、図示しない浴槽等へ供給されるよう構成されている。
【００１９】
詳述すると、温泉水供給管路（１０）及び低温水供給管路（２０）には、その上流側から順にボール弁（１１）（２１）、モータ弁（１２）（２２）及び逆止弁（１３）（２３）がそれぞれ設けられている。
【００２０】
ボール弁（１１）（２１）は、その内部のボール体が、耐腐食性及び防汚性に優れたポリ塩化ビニル樹脂等の合成樹脂により構成されるとともに、モータ弁（１２）（２２）は、その弁体が、ポリ塩化ビニル樹脂等の合成樹脂により構成されている。
【００２１】
更に逆止弁（１３）（２３）は、弁座及び弁体が耐腐食性に優れたステンレスにより構成されている。
【００２２】
また混合水供給管路（３０）には、その内部を通過する混合水の温度を測定するための温度計（３１）が設けられている。
【００２３】
図２ないし図５に示すように、ミキシングバルブ（５０）は、耐腐食性に優れた砲金からなるバルブ本体（５１）と、同じく砲金からなるバルブカバー（５２）とを有し、バルブ本体（５１）上にバルブカバー（５２）がねじ止め固定されてケーシング（６０）が構成されている。
【００２４】
ケーシング（６０）内には、軸心方向（図３の紙面に向かって上下方向）に沿って上から順に混合室（６５）、温泉水室（６４ａ）及び低温水室（６４ｂ）が設けられ、これらの各室（６４ａ）（６４ｂ）（６５）が、軸心に沿って設けられた中央連通路（６１）を介して連通されている。
【００２５】
ケーシング（６０）におけるバルブ本体（５１）の外周壁には、上記温泉水室（６４ａ）、低温水室（６４ｂ）及び混合室（６５）に対応して、温泉水入口（５４ａ）、低温水入口（５４ｂ）及び混合水出口（５５）がそれぞれ設けられている。
【００２６】
更に、上記温泉水供給管路（１０）の下流側端部が温泉水入口（５４ａ）に連結されて、上記したように温泉水供給管路（１０）によって供給される温泉水が温泉水入口（５４ａ）を介して、温泉水室（６４ａ）に供給されるとともに、上記低温水供給管路（２０）の下流側端部が低温水入口（５４ｂ）に連結されて、低温水供給管路（２０）によって供給される温泉水が温泉水入口（５４ｂ）を介して、低温水室（６４ａ）に供給されるよう構成されている。
【００２７】
更に混合水出口（５５）には、混合水供給管路（３０）の上流側端部が連結されて、混合室（６５）内の混合水が、混合水出口（５５）を介して混合水供給管路（３０）に供給されるよう構成されている。
【００２８】
ケーシング（６０）内における中央連通路（６１）内には軸心方向に沿って円筒形スリーブ（７１）が適合状態に挿入されるとともに、そのスリーブ（７１）内には軸心方向に沿って円筒形ライナー（７２）が適合状態に挿入されている。
【００２９】
図６ないし図８に示すように、スリーブ（７１）は、バルブ本体（６０）にねじ止め固定されて、軸回り方向の移動が規制されるとともに、ライナー（７２）は、スリーブ（７１）に対し軸回り方向に回転自在に構成されている。
【００３０】
スリーブ（７１）及びライナー（７２）における各上側部には、周方向に所定の間隔おきに、縦長の温泉水供給口（７１ａ）（７２ａ）が設けられており、これらの供給口（７１ａ）（７２ａ）が重なり合った状態では、その重なり部を通って温泉水室（６４ａ）内の温泉水がライナー（７２）の内部、つまり中央連通路（６１）に導入されて、混合室（６５）に供給されるよう構成されている。
【００３１】
更にスリーブ（７１）及びライナー（７２）における各下側部部には、周方向に所定の間隔おきに、縦長の低温水供給口（７１ｂ）（７２ｂ）が設けられており、これらの供給口（７１ａ）（７２ａ）が重なり合った状態では、その重なり部を通って低温水室（６４ｂ）内の低温水が、ライナー（７２）の内部、つまり中央連通路（６１）に導入されて、混合室（６５）に供給されるよう構成されている。
【００３２】
また本実施形態において、ライナー（７２）がスリーブ（７１）に対し軸回りに回転することにより、温泉水供給口（７１ａ）（７２ａ）同士及び低温水供給口（７１ｂ）（７２ｂ）同士の重なり量が変化して、開度が調整されるよう構成されている。
【００３３】
これにより例えば、温泉水供給口（７１ａ）（７２ａ）の開度が大きくなり、低温水供給口（７１ｂ）（７２ｂ）の開度が小さくなると、混合室（６５）内への温泉水の供給量が、低温水の供給量に対し多くなり、混合水の温度が上昇する一方、逆に、温泉水供給口（７１ａ）（７２ａ）の開度が小さくなり、低温水供給口（７１ｂ）（７２ｂ）の開度が大きくなると、温泉水の供給量が、低温水の供給量に対し少なくなり、混合水の温度が低下するよう構成されている。
【００３４】
なお本実施形態においては、温泉水供給口（７１ａ）（７２ａ）の開度が大きくなると同時に、低温水供給口（７１ｂ）（７２ｂ）の開度が小さくなる一方、温泉水供給口（７１ａ）（７２ａ）の開度が小さくなると同時に、低温水供給口（７１ｂ）（７２ｂ）の開度が大きくなるように構成されている。
【００３５】
ここで本実施形態においては、スリーブ（７１）及びライナー（７２）によって開度調整手段が構成されている。
【００３６】
また本実施形態において、スリーブ（７１）及びライナー（７２）は、耐腐食性に優れた砲金からなり、外表面全域に、耐腐食性及び防汚性に優れたポリアセタール樹脂等の合成樹脂からなる保護被膜が被覆形成されている。もっとも本発明においては、この保護被膜を、ナイロン等のポリアミド系樹脂、ポリテトラフルオロエチレン等のフッ素樹脂等により構成するようにしても良い。
【００３７】
図３に示すように、ケーシング（６０）におけるバルブカバー（５２）には、軸回りに回転自在な回転軸（７５）が軸心方向に沿って貫通配置されている。更にバルブカバー（５２）の上面に配置される操作ハンドル（７６）が、回転軸（７５）の上端に固定され、ハンドル（７６）を回転操作することにより、回転軸（７５）が軸回りに回転するよう構成されている。
【００３８】
図３及び図９に示すように、ケーシング（６０）における混合室（６５）の内部には、感温手段としてのコイル部材（８０）が設けられている。
【００３９】
コイル部材（８０）は、被膜付きの帯板状バイメタルが渦巻き状に巻回されて形成されており、混合室（６５）内における混合水の温度変化に対応して、伸縮変形するよう構成されている。本実施形態において、コイル部材（８０）の保護被膜は、耐腐食性及び防汚性に優れたナイロン等のポリアミド系樹脂からなる保護被膜が被覆されたものにより形成されているが、本発明においては、ポリアセタール樹脂、ポリテトラフルオロエチレン等のフッ素樹脂等により形成するようにしても良い。
【００４０】
このコイル部材（８０）の外周端部（８１）が連結部材（８５）を介して上記回転軸（７５）の下端に固定されている。更にコイル部材（８０）の内周端部（８２）には回転レバー（８６）が設けられ、この回転レバー（８６）の先端が、ライナー（７２）の上端切欠部（７２ｃ）内に係合状態に配置されている。
【００４１】
そして、混合室（６５）内における混合水の温度が変化した場合には、コイル部材（８０）が伸縮変形して、回転レバー（８６）がライナー（７２）と共に軸心回りに回転して、温泉水供給口（７１ａ）（７２ａ）の開度、及び低温水供給口（７１ｂ）（７２ｂ）の開度が適宜調整されることにより、混合水の温度が所定の設定温度に維持されるよう構成されている。
【００４２】
なお、本実施形態においては、回転軸（７５）、連結部材（８１）及び回転レバー（８２）は、耐腐食性に優れた砲金からなり、外表面全域に、耐腐食性及び防汚性に優れたポリアセタール等の合成樹脂からなる保護被膜が被覆形成されている。もっとも本発明においては、この保護被膜を、ナイロン等のポリアミド系樹脂、ポリテトラフルオロエチレン等のフッ素樹脂により構成するようにしても良い。
【００４３】
また、本実施形態においては、コイル部材（８０）は、温度が上昇した際に、伸長して、拡径変形するように構成されており、温泉水内の析出物により目詰まりを有効に防止できるよう構成されている。
【００４４】
以上の構成の給湯装置において、図示しない温泉水供給源から供給される高温の温泉水は、温泉水供給管路（１０）を通って、ミキシングバルブ（５０）の温泉水室（６４ａ）に導入され、更に温泉水供給口（７１ａ）（７２ａ）を介して混合室（６５）に導入される。一方、図示しない低温水供給源から供給される低温上水等の低温水は、低温水供給管路（２０）を通って、ミキシングバルブ（５０）の低温水室（６４ｂ）に導入され、更に低温水供給口（７１ｂ）（７２ｂ）を介して混合室（６５）に導入される。そして混合室（６５）において、上記温泉水と低温水とが混合された後、その適温の混合水が、混合水供給管路（３０）を通って、図示しない浴槽へ供給される。
【００４５】
またこのように混合水を供給している際に、混合室（６５）内の水温、つまり混合水の温度が変化すると、コイル部材（８０）が伸縮して、ライナー（７１）がスリーブ（７２）に対し回転する。これにより、温泉水供給口（７１ａ）（７２ａ）及び低温水供給口（７１ｂ）（７２ｂ）の開度が適宜調整されて、温泉水及び低温水の供給量が適宜調整される。こうして、混合水の温度が所定の設定温度に維持されて、常時、適温の混合水が浴槽へと供給される。
【００４６】
なお本実施形態においては、ミキシングバルブ（５０）のハンドル（７６）を回転操作することにより、コイル部材（８０）の回転位置を変更することができ、混合水（浴槽水）の初期設定温度を自在に調整することができる。
【００４７】
ここで、温泉水供給管路（１０）側から供給される温泉水には、鉄分等、多種多様の酸化成分が含有されるものであるが、本実施形態の給湯装置においては、その所要部、すなわち感温手段としてのコイル部材（８０）や、開度調整手段としてのスリーブ（７１）及びライナー（７２）が、砲金製部材の外表面に、特有の合成樹脂からなる保護被膜を形成したものにより構成しているため、各構成部材が温泉水の含有成分によって早期に腐食劣化するのを防止でき、十分な耐久性を得ることができる。更に保護被膜によって、温泉水から析出した成分が感温手段や開度調整手段に付着するのを有効に防止でき、良好な性能を長期間維持することができる。
【００４８】
特に本実施形態においては、コイル部材（８０）や、スリーブ（７１）及びライナー（７２）等の可動部に保護被膜を設けて、腐食劣化や、析出成分の付着堆積を防止するものであるため、長期間にわたって優れた動作信頼性を得ることができ、高い品質を得ることができる。
【００４９】
しかも本実施形態においては、コイル部材（８０）、スリーブ（７１）及びライナー（７２）等の可動部を被覆する保護膜は、耐摩耗性（滑り性）に優れた樹脂により構成されているため、これらの可動部が円滑に可動し、より一層動作信頼性を向上させることができる。
【００５０】
また本実施形態においては、感温手段を、帯板状のバイメタルを渦巻き状に巻回したコイル部材（８０）により構成しているため、バイメタルとして長いサイズのものを用いることができる。このため、コイル部材（８０）における温度変化時の伸縮変形量を大きく確保することができ、その大きい変形量に基づいて、ライナー（７２）の回転動作を精度良く緻密に制御でき、温度調節を高精度に行うことができる。
【００５１】
更に本実施形態においては、温泉水供給管路（１０）及び低温水供給管路（２０）に逆止弁（１３）（２３）を設けているため、万が一、目詰まりや腐食劣化等が生じて、湯水の流通が阻害されたとしても、温泉水や低温水の逆流を防止でき、その逆流による悪影響を確実に防止できるので、より高い品質を得ることができる。
【００５２】
なお、上記実施形態においては、鉱泉水として高温の温泉水を用いる場合について説明したが、それだけに限られず、本発明においては、鉱泉水として低温の温泉水や冷泉水を用いることもできる。鉱泉水として低温の温泉水や冷泉水を用いる場合には、鉱泉水を熱交換器等により加熱してから、本給湯装置に供給するようにしても良く、更には本給湯装置において、高温の上水等と混合させて適温の浴槽水として利用するするようにしても良い。
【００５３】
また本発明において、保護被膜は少なくとも外表面に設けられていれば良く、例えば、スリーブ（７１）全体やライナー（７２）全体を、耐腐食性及び防汚性に優れた合成樹脂成形品により構成するようにしても良い。
【００５４】
【発明の効果】
以上のように、本発明の鉱泉水用湯水混合給湯装置によれば、鉱泉水と接触する部分に、耐腐食性及び防汚性に優れた保護被膜を設けるものであるため、鉱泉水の含有成分によって早期に腐食劣化するのを防止できるとともに、保護被膜によって、鉱泉水から析出した成分が付着するのを有効に防止でき、良好な性能を長期間維持できて、十分な耐久性を得ることができるという効果がある。
【００５５】
本発明において、感温手段及び開度調整手段等の可動部に保護被膜を設ける場合には、長期間にわたって優れた動作信頼性を得ることができ、より高い品質を得ることができるという利点がある。
【００５６】
更に本発明において、感温手段を、帯板状のバイメタルが渦巻き状に巻回されたコイル部材により形成する場合には、コイル部材における温度変化時の伸縮変形量を大きく確保できるため、その大きい変形量に基づいて精度良く温度調整を行うことができるという利点がある。
【図面の簡単な説明】
【図１】この発明の実施形態である温泉水用湯水混合給湯装置を示す正面図である。
【図２】実施形態の給湯装置に適用されたミキシングバルブを示す平面図である。
【図３】実施形態のミキシングバルブを示す断面図である。
【図４】実施形態のミキシングバルブにおけるバルブ本体を示す図であって、同図（ａ）は平面図、同図（ｂ）は断面図である。
【図５】実施形態のミキシングバルブにおけるバルブカバーをその一部を切り欠いた状態で示す側面図である。
【図６】実施形態のミキシングバルブにおけるスリーブをその一部を切り欠いた状態で示す側面図である。
【図７】実施形態のミキシングバルブにおけるライナーを示す断面図である。
【図８】実施形態のミキシングバルブにおける開度調整手段を分解して示す斜視図である。斜視図である。
【図９】実施形態のミキシングバルブにおけるコイル部材を示す斜視図である。
【符号の説明】
１０…温泉水供給管路（鉱泉水供給管路）
１３…逆止弁
２０…低温水供給管路（温調水供給管路）
２３…逆止弁
３０…混合水供給管路
５０…ミキシングバルブ（湯水混合手段）
６０…ケーシング
６５…混合室
７１…スリーブ（開度調整手段）
７１ａ…温泉水供給口（鉱泉水供給口）
７１ｂ…低温水供給口（温調水供給口）
７２…ライナー（開度調整手段）
７２ａ…温泉水供給口（鉱泉水供給口）
７２ｂ…低温水供給口（温調水供給口）
８０…コイル部材（感温手段）
【図１】
0003709167.tif 000002
【図２】
0003709167.tif 000003
【図３】
0003709167.tif 000004
【図４】
0003709167.tif 000005
【図５】
0003709167.tif 000006
【図６】
0003709167.tif 000007
【図７】
0003709167.tif 000008
【図８】
0003709167.tif 000009
【図９】
0003709167.tif 000010